(57)【要約】【課題】線材の装飾性と光ファイバーの発光の効果とを兼ね備えた発光装飾品を提供する。【解決手段】光ファイバー発光装飾装置１は、後述する光ファイバーと水引を混在させて編み込まれた、図２に示す枝葉２ａを備え、このような枝葉２ａが多数形成されて先端部２を構成している。また、光ファイバー３ａを複数本集合させて光ファイバー束３とし、幹を成すように円柱状に束ねられる。そして、図１０に示すように、光ファイバー束３の下部にあたる基端部１３は、収容ボックス７に挿入されて保持されている。この収容ボックス７の内部には、基端部１３の下方に配置される光源であるＬＥＤ８と、ＬＥＤ８を制御する光制御ＩＣ１５と、ＬＥＤ８及び光制御ＩＣ１５に電力を供給する電源９（例えば、バッテリー）が収容され、これらが光ファイバー３ａに対する光導入手段を構成している。【選択図】図１０
2009196281.tif 000002
【特許請求の範囲】
【請求項１】
光ファイバーと光ファイバー以外の曲げ変形自在な線材とが混在して編み込まれ、又は集合した光ファイバー混成装飾品と、
その光ファイバー混成装飾品のなかの前記光ファイバーに光を導く光導入手段と、を備え、
その光導入手段により導かれる光が前記光ファイバーから外部に漏れることにより、前記線材の間で前記光ファイバーによる発光が生じることを特徴とする光ファイバー発光装飾装置。
【請求項２】
光ファイバーと水引とが混在して編み込まれ、又は集合した光ファイバー混成装飾品と、
その光ファイバー混成装飾品のなかの前記光ファイバーに光を導く光導入手段と、が設けられ、
その光導入手段により導かれる光が前記光ファイバーから外部に漏れることにより、前記水引の間で前記光ファイバーによる発光が生じることを特徴とする光ファイバー発光装飾装置。
【請求項３】
前記光ファイバーは中間部分に形成された１又は２以上の中間光漏洩部を備え、その中間光漏洩部から前記線材又は水引の間で発光が生じる請求項１又は２に記載の光ファイバー発光装飾装置。
【請求項４】
光ファイバーと光ファイバー以外の曲げ変形自在な線材とを混成して得られた光ファイバー混成装飾品のなかの光ファイバーに光を導いて発光させる光ファイバー発光装飾装置における前記光ファイバー混成装飾品の製造方法であって、
光ファイバーと光ファイバー以外の曲げ変形自在な線材とを混在して同時に又は相前後して編み込こみ、又は集合させることにより、光ファイバー混成装飾品を得ることを特徴とする光ファイバー混成装飾品の製造方法。
【請求項５】
光ファイバーと光ファイバー以外の曲げ変形自在な線材とを混成して得られた光ファイバー混成装飾品のなかの光ファイバーに光を導いて発光させる光ファイバー発光装飾装置における前記光ファイバー混成装飾品の製造方法であって、
光ファイバー以外の前記線材を編んで、又は集合させてその線材からなる線材中間品を形成し、次いでその線材中間品から１本以上の線材を抜き取り、その抜き取った後を光ファイバーで置換することにより、光ファイバー混成装飾品となすことを特徴とする光ファイバー混成装飾品の製造方法。
【請求項６】
光ファイバーと水引とを混成して得られた光ファイバー混成装飾品のなかの光ファイバーに光を導いて発光させる光ファイバー発光装飾装置における前記光ファイバー混成装飾品の製造方法であって、
光ファイバーと水引とを混在して同時に又は相前後して編み込こみ、又は集合させることにより、光ファイバー混成装飾品を得ることを特徴とする光ファイバー混成装飾品の製造方法。
【請求項７】
光ファイバーと水引とを混成して得られた光ファイバー混成装飾品のなかの光ファイバーに光を導いて発光させる光ファイバー発光装飾装置における前記光ファイバー混成装飾品の製造方法であって、
水引を編んで、又は集合させてその水引からなる水引中間品を形成し、次いでその水引中間品から１本以上の水引を抜き取り、その抜き取った後を光ファイバーで置換することにより、光ファイバー混成装飾品を得ることを特徴とする光ファイバー混成装飾品の製造方法。
【発明の詳細な説明】
【技術分野】
【０００１】
本発明は、光ファイバー発光装飾装置、及びそれに用いる光ファイバー混成装飾品の製造方法に関するものである。
【背景技術】
【０００２】
従来、例えば水引のような曲げ変形自在な線材で編み込まれた装飾品が知られている。しかし、このような装飾品は、一般的に発光しない線材のみで構成されており、当然のことながら発光することはない。また発光する装飾品として、光ファイバーを利用した発光装飾装置も知られている。しかし、このような発光装飾装置は光ファイバーのみで構成されているため、発光を行わない場合において装飾品としての興趣は低いものが多い。
【発明の開示】
【発明が解決しようとする課題】
【０００３】
本発明の課題は、線材の装飾性と光ファイバーの発光の効果とを兼ね備えた発光装飾品を提供することにある。
【課題を解決するための手段および発明の効果】
【０００４】
本発明は、光ファイバーと光ファイバー以外の曲げ変形自在な線材とが混在して編み込まれ、又は集合した光ファイバー混成装飾品と、
その光ファイバー混成装飾品のなかの前記光ファイバーに光を導く光導入手段と、を備え、
その光導入手段により導かれる光が前記光ファイバーから外部に漏れることにより、前記線材の間で前記光ファイバーによる発光が生じることを特徴とする。
【０００５】
また、本発明は、光ファイバーと水引とが混在して編み込まれ、又は集合した光ファイバー混成装飾品と、
その光ファイバー混成装飾品のなかの前記光ファイバーに光を導く光導入手段と、が設けられ、
その光導入手段により導かれる光が前記光ファイバーから外部に漏れることにより、前記水引の間で前記光ファイバーによる発光が生じることを特徴とする。
【０００６】
これにより、光ファイバーと光ファイバー以外の曲げ変形自在な線材、例えば水引とが混在する光ファイバー混成装飾品として、発光しない状態で一定の装飾効果を生じ、さらに、光ファイバーが発光すれば一層装飾効果が高まる。従って、非発光時と発光時のいずれにおいてもそれぞれの装飾効果が発揮される。しかも、光ファイバーが他の線材、例えば水引と混在して装飾品の編成又は集合材料の一部をなすため、光ファイバーの装飾と発光機能上における、一体性が高まり、かつ、必要な線材の節約にもなる。
【０００７】
さらに、本発明は、光ファイバーと光ファイバー以外の曲げ変形自在な線材、例えば水引とを混成して得られた光ファイバー混成装飾品のなかの光ファイバーに光を導いて発光させる光ファイバー発光装飾装置における前記光ファイバー混成装飾品の製造方法であって、
光ファイバーと光ファイバー以外の曲げ変形自在な線材、例えば水引とを混在して同時に又は相前後して編み込こみ、又は集合させることにより、光ファイバー混成装飾品を得ることを特徴とする。
【０００８】
このように、光ファイバーと光ファイバー以外の曲げ変形自在な線材、例えば水引とを混在して同時に編み込こみ、又は集合させることにより、効率良く光ファイバー混成装飾品を得ることができる。
【０００９】
また、本発明は、光ファイバーと光ファイバー以外の曲げ変形自在な線材、例えば水引とを混成して得られた光ファイバー混成装飾品のなかの光ファイバーに光を導いて発光させる光ファイバー発光装飾装置における前記光ファイバー混成装飾品の製造方法であって、
光ファイバー以外の前記線材、例えば水引を編んで、又は集合させてその線材からなる線材中間品を形成し、次いでその線材中間品から１本以上の線材、例えば水引を抜き取り、その抜き取った後を光ファイバーで置換することにより、光ファイバー混成装飾品となすことを特徴とする。
【００１０】
このようにすれば、予め、光ファイバー以外の線材、例えば水引だけで編み込ませる、又は集合させることができるので、その線材（例えば水引）からなる線材中間品を形成し易く、光ファイバーを置換させる位置を比較的自由に選定でき、発光装飾品作成の自由度が高まる。
【発明を実施するための最良の形態】
【００１１】
以下、本発明の実施例を図面に基づいて説明する。
【００１２】
図１は、本発明の一実施例である植物の「松」を模した光ファイバー発光装飾装置１を示すものである。図２は先端部２を構成する枝葉２ａ、光ファイバー３ａ、光ファイバー束３を示したものである。図１０は図１の構造を模式的に示す説明図である。光ファイバー発光装飾装置１は、後述する光ファイバーと水引を混在させて編み込まれた、図２に示す枝葉２ａを備え、このような枝葉２ａが多数形成されて先端部２を構成している。また、光ファイバー３ａを複数本集合させて光ファイバー束３とし、幹を成すように円柱状に束ねられる。そして、図１０に示すように、光ファイバー束３の下部にあたる基端部１３は、収容ボックス７に挿入されて保持されている。この収容ボックス７の内部には、基端部１３の下方に配置される光源であるＬＥＤ８と、ＬＥＤ８を制御する光制御ＩＣ１５と、ＬＥＤ８及び光制御ＩＣ１５に電力を供給する電源９（例えば、バッテリー）が収容され、これらが光ファイバー３ａに対する光導入手段を構成している。
【００１３】
以下、光ファイバー発光装飾装置に用いる光ファイバー混成装飾品の製造方法に関して実施手順を踏まえて説明する。
【００１４】
光ファイバー混成装飾品の製造方法として、まず、水引を長さ方向の中間位置で折り曲げる。そして、図３に示すように、この折り曲げた水引を枝部５とし、折り曲げた際に形成される折り曲げ部１４を捻り上げて固定する。折り曲げ部１４を基点にして枝部５の両端をそれぞれ５ａ、５ｂとする。なお、折り曲げ部１４を固定する際は粘着テープ等を用いるとよい。
【００１５】
そして、折り曲げ部１４を固定した後は、図４に示すように枝部５の両端５ａと５ｂを互いに広げ、「松」の葉の部分となる水引（葉部４とする）を任意の本数を挟み込み、数本挟み込んだ時点で、枝部５の両端５ａと５ｂを互いに左右のいずれか一方向に回転させて捻る。図５に示すように、このようにすると、葉部４が数本単位に区切られて、捻り部６が形成される。この作業を繰り返して捻り部６を複数箇所に形成していく。この捻り部６が多いほど、「松」の葉が多く形成されることになり、捻り部６の数を調節することで、完成時における「松」の葉のボリュームが決定される。また、葉部４の両端を切り揃えると葉部の長さを調節できるとともに、完成時に美しい外観を形成することができる。その後、図７（ａ）から図７（ｂ）に示すように、葉部４を枝部５の軸線に対して、左右交互に折り曲げていく。そして、葉部４を枝部５の折り曲げ部１４方向に持ち上げ、図７（ｃ）にあるように、葉部４を折り曲げる。これにより、枝部５及び葉部４が図８に示すような「松」を構成する枝葉２ａ（全て水引からなる）として形成される。
【００１６】
次に、光ファイバーと水引を混成させるため、枝葉２ａの所定位置にある葉部４を抜き取る。そして、図１７に示すように、予め、溝３０ａ、凹部３０ｂ、切片部３０ｃ、曲部３０ｄ、先端拡径部３０ｅの少なくとも１つを加工した中間光漏洩部（もちろん図１７（ｆ）に示すよう光ファイバーの未端面部３０ｆも発光部とすることができる）を有する光ファイバー３ａを、図９に示すように、抜き取った葉部４と同位置に挿入する。挿入した光ファイバー３ａは周囲の葉部４と同じ長さになるように挿入位置を調節する。これにより、光ファイバー３ａと水引（葉部４）を混在させることができる。その後、挿入された複数本の光ファイバー３ａの下端を集合させて円柱状に束ね、図２に示すように光ファイバー束３として構成されて「松」における幹として形成される。
【００１７】
なお、光ファイバー３ａと水引（葉部４）を混在させる別の方法として、光ファイバー３ａの挿入を上記枝葉２ａの形成の際に行うことも可能である。具体的には、図４に示すように、折り曲げ部１４を固定した後に、枝部５の隙間に「松」の葉の部分となる水引（葉部４）を任意の本数を挟み込むとともに、前述の図７に示した溝３０ａ、凹部３０ｂ、切片部３０ｃ、曲部３０ｄ、先端拡径部３０ｅの少なくとも１つを形成した中間光漏洩部を有する光ファイバー３ａを、図６に示すように挿入し、光ファイバー３ａと水引（葉部４）を混在させる。そして、光ファイバー３ａと水引（葉部４）を数本挟み込んだ時点で、図４の要領で、枝部５の両端５ａと５ｂを互いにいずれか一方向に回転させて捻る。このようにすれば、前述した枝葉２ａの所定位置にある水引（葉部４）を抜き取って、光ファイバー３ａを挿入する作業を省くことができる。
【００１８】
また、図１０に示すように、図示しないテープ等の結束部材で一つに結束された光ファイバー束３の基端部１３が収容ボックス７に挿入されて、光ファイバー混成装飾品１が支持されるようになっている。
【００１９】
次に、光ファイバー発光装飾装置の作用に関して説明する。
【００２０】
図１０に示すように、収容ボックス７の内部には、前述のように、光ファイバー束３の基端部１３の下方に、光源としてＬＥＤ８と、そのＬＥＤ８の光制御を行う光制御ＩＣ１５と、ＬＥＤ８及び光制御ＩＣ１５に対して電力を供給する電源９（例えば、バッテリー）とがそれぞれ電気的に接続され、収容されている。ＬＥＤ８は単数もしくは複数配置される、ＬＥＤ８が配置される数は、光ファイバー３ａの照度が適当になるように決定する。このＬＥＤ８から発光する光が、光ファイバー束３の基端部１３から光ファイバー３ａの溝３０ａ、凹部３０ｂ、切片部３０ｃ、曲部３０ｄ、先端拡径部３０ｅの少なくとも１つの中間光漏洩部へ導かれ、そこから外部へ放出することで光を発する。また、Ｒ（赤）、Ｇ（緑）、Ｂ（青）の光の三原色のＬＥＤを用いたフルカラーＬＥＤを光制御ＩＣ１５で制御することにより、任意の色を発光することもできる。これにより、光ファイバー３ａの発光に色の変化を与えて、形象とともに視覚的な演出が可能となる。
【００２１】
図１１に示されるように、その他の光導入手段として、ランプ１１（例えば、ハロゲンランプ）を用いたものがある。これは、収容ボックス７に光ファイバー束３の基端部１３の下方に光源として配置されるランプ１１と、基端部１３とランプ１１との間に配置される円板状のカラーフィルター１６と、カラーフィルター１６を回転させる電動モーター１２と、ランプ１１と電動モーターに電力を供給する電源９（例えば、バッテリー）とが、それぞれ電気的に接続されたものであり、収容ボックスに収容されている。カラーフィルター１６は、異なる色で色分けされた複数のカラーゾーンを有している。そして、ランプ１１から発光する光が、回転するカラーフィルター１６に設けられたカラーゾーンを通過し、様々な色に変化し、光ファイバー束３の基端部１３から光ファイバー３ａの溝３０ａ、凹部３０ｂ、切片部３０ｃ、曲部３０ｄ、拡径部３０ｆの少なくとも１つの中間光漏洩部へ導かれ、そこから外部へ放出することで様々な色の光を発する。
【００２２】
また、光ファイバー３ａと水引４を混在させるための手段として多種多様な編み方を利用することができる。その編み方を以下に図面に基づいて説明する。なお、これらの編み方は複数の光ファイバー３ａと水引４で構成されており、それを構成する全体の合計本数及び光ファイバー３ａと水引４によるそれぞれの構成本数は任意に決定することができ、いずれにおいても同様の効果が得られる。
【００２３】
まず、図１２に示すように平編み１７と呼ばれる編み方がある。例えば、この編み方は光ファイバー３ａと水引４が合計３本で構成されており、そのうち１本を光ファイバー３ａとして、残り２本を水引４で構成されているとする。これら光ファイバー３ａと水引４をそれぞれ湾曲させ、互いに交差させることで網目状に編む。こうすることで、光ファイバー３ａと水引４が混在されて光ファイバー混成装飾品を形成した際、光ファイバー３ａの溝３０ａ、凹部３０ｂ、切片部３０ｃ、曲部３０ｄ、拡径部３０ｆの少なくとも１つの中間光漏洩部から光源の光を外部へ放出して、発光させることができる。また、図１３は錦編み１８を示したものであり、平編み１７を応用したもの（例えば、水引４が２本、光ファイバー３ａが２本とされたもの）である。
【００２４】
その他の編み方として、図１４に示すように、重ね編み１９と呼ばれる編み方を利用するとよい。この例では、光ファイバー３ａに対して十字型に交差させるように水引４を重ね、左回りもしくは右回りに結んでいくことで形成される編み方である。また、図１５の縦連続鮑結び２０、図１６の横連続鮑結び２１という編み方は光ファイバー３ａもしくは水引４のどちらか一方を編み込むためのものであり、上記で説明した編み方と併用すると有効である。
【００２５】
なお、以上の発明では、光ファイバー以外の線材として水引を例示したが、水引以外にも適当な線材を用いることができる。例えば、金属線材、紙線材自体、又はそれらを装飾的に耐久性向上のために皮膜した線材を用いることができる。
【図面の簡単な説明】
【００２６】
【図１】本発明の一実施例である「松」を模した光ファイバー発光装飾装置を示す斜視図。
【図２】図１の先端部を拡大した説明図。
【図３】折り曲げ部が固定された状態を示す説明図。
【図４】枝部へ葉部を挟みこんだ状態を示す説明図。
【図５】枝部上に捻り部が形成された状態を示す説明図。
【図６】枝部に光ファイバーが挿入された状態を示す説明図。
【図７】枝葉の形成手順を示す説明図。
【図８】図７の形成手順により形成された枝葉を示す説明図。
【図９】光ファイバーと水引を混在させた状態を示す説明図。
【図１０】図１の構造を模式的に示す説明図。
【図１１】図１の他の構造を模式的に示す説明図。
【図１２】平編みの構造を示す説明図。
【図１３】錦編みの編み込み手順を示す説明図。
【図１４】重ね編みの編み込み手順を示す説明図。
【図１５】縦連続鮑結びの結び手順を示す説明図。
【図１６】横連続鮑結びの結び手順を示す説明図。
【図１７】光ファイバーの中間光漏洩部のいくつかの例を示す説明図。
【符号の説明】
【００２７】
１  光ファイバー発光装飾装置
２  先端部
２ａ  枝葉
３  光ファイバー束
３ａ  光ファイバー
４  葉部
５  枝部
６  捻り部
７  収容ボックス
８  ＬＥＤ
９  電源
１１  ランプ
１２  電動モーター
１３  基端部
１４  折り曲げ部
１５  光制御ＩＣ
１６  カラーフィルター
１７  平編み
１８  錦編み
１９  重ね編み
２０  縦連続鮑結び
２１  横連続鮑結び
３０ａ  溝
３０ｂ  凹部
３０ｃ  切欠部
３０ｄ  曲部
３０ｅ  先端拡径部
３０ｆ  未活面部
【図１】
2009196281.tif 000003
【図２】
2009196281.tif 000004
【図３】
2009196281.tif 000005
【図４】
2009196281.tif 000006
【図５】
2009196281.tif 000007
【図６】
2009196281.tif 000008
【図７】
2009196281.tif 000009
【図８】
2009196281.tif 000010
【図９】
2009196281.tif 000011
【図１０】
2009196281.tif 000012
【図１１】
2009196281.tif 000013
【図１２】
2009196281.tif 000014
【図１３】
2009196281.tif 000015
【図１４】
2009196281.tif 000016
【図１５】
2009196281.tif 000017
【図１６】
2009196281.tif 000018
【図１７】
2009196281.tif 000019